(57)【要約】【課題】ダクトレールに直管形ＬＥＤ蛍光灯をコンパクトに取り付けることができ、また任意の長さの直管形ＬＥＤ蛍光灯を取り付けることができる取付装置の提供を目的とするものである。【解決手段】本考案は、レール内に接点があるダクトレールに直管形ＬＥＤ蛍光灯を取り付けるための取付装置であって、直管形ＬＥＤ蛍光灯の両端を係止可能に構成される一対のコンセントプラグを備え、このコンセントプラグが、ダクトレールに係止可能な取付部と、直管形ＬＥＤ蛍光灯の端部の電極を保持可能なソケットとを有し、ダクトレールの接点と直管形ＬＥＤ蛍光灯の電極とを電通可能に構成されていることを特徴とする取付装置である。【選択図】図１
0003157497.tif 000002
【実用新案登録請求の範囲】
【請求項１】
レール内に接点があるダクトレールに直管形ＬＥＤ蛍光灯を取り付けるための取付装置であって、
直管形ＬＥＤ蛍光灯の両端を係止可能に構成される一対のコンセントプラグを備え、
このコンセントプラグが、
ダクトレールに係止可能な取付部と、
直管形ＬＥＤ蛍光灯の端部の電極を保持可能なソケットと
を有し、
ダクトレールの接点と直管形ＬＥＤ蛍光灯の電極とを電通可能に構成されていることを特徴とする取付装置。
【請求項２】
上記ダクトレールが、矩形状断面を有し、下面に長手方向の開口を有する筒状体であり、内部の左右の側面に長手方向の接点用凹条溝及び係止用凹条溝を上下に有しており、
上記取付部が、フック軸と、このフック軸から垂直に延出し、接点用凹条溝に嵌合可能な接点用係合片と、フック軸から垂直に延出し、係止用凹条溝に嵌合可能な一対の係止用係合片とを有する請求項１に記載の取付装置。
【請求項３】
上記フック軸の最小幅寸法が、上記ダクトレールの開口幅以下である請求項２に記載の取付装置。
【請求項４】
上記接点用係合片及び上記係止用係合片が伸縮自在に構成されている請求項２又は請求項３に記載の取付装置。
【請求項５】
上記コンセントプラグが、
上記ダクトレールに当接可能な固定部材をさらに有する請求項１から請求項４のいずれか１項に記載の取付装置。
【請求項６】
複数の上記ソケットを有し、
かつこれらのソケットが同一の向きに配設されている請求項１から請求項５のいずれか１項に記載の取付装置。
【請求項７】
複数の直管形ＬＥＤ蛍光灯の端部を係止可能に構成される結合プラグをさらに備え、
この結合プラグが、
ダクトレールに係止可能な取付部と、
直管形ＬＥＤ蛍光灯の端部の電極を保持可能な複数のソケットと
を有し、
かつこれらのソケットの少なくとも一対が互いに逆向きに配設されており、
ダクトレールの接点と複数の直管形ＬＥＤ蛍光灯の電極とを通電可能に構成されている請求項１から請求項６のいずれか１項に記載の取付装置。
【請求項８】
直管形ＬＥＤ蛍光灯の中央部を係止可能に構成される支持部材をさらに備え、
この支持部材が、
ダクトレールに係止可能な取付部と、
直管形ＬＥＤ蛍光灯に外嵌可能なフック部と
を有している請求項１から請求項７のいずれか１項に記載の取付装置。
【考案の詳細な説明】
【技術分野】
【０００１】
本考案は、取付装置に関し、詳細にはダクトレールへの直管形ＬＥＤ蛍光灯の取付装置に関する。
【背景技術】
【０００２】
近年、発光ダイオード（ＬＥＤ）を用いたＬＥＤ照明灯が普及しつつある。ＬＥＤ照明灯は、従来の白熱電球や蛍光灯等の照明灯に比べて発光効率が高い。そのため、ＬＥＤ照明灯によれば、消費電力を小さくできるので、電力コストを大幅に削減できるとともに、ＣＯ２の排出量削減に大きく寄与できる。また、ＬＥＤ照明灯は、従来の照明灯に比べて、寿命が非常に長い。そのため、照明灯自体の購入コストを削減できるとともに、交換回数を減らすことができる。従って、交換のための手間やコストを大幅に削減できる。加えてＬＥＤ照明灯を用いることで、天井など高所作業等の危険性を減らすことができる。さらにＬＥＤ照明灯は、従来の照明灯のように透明管の材質としてガラスを使う必要がない。そのため、当該材質には通常樹脂等が用いられているので、割れにくく、交換作業の際にも危険性が少ない。このように、ＬＥＤ照明灯は従来の照明灯に比べて様々な優れた特徴を有しており、それにより代替が進んでいる。
【０００３】
ＬＥＤ照明灯としては、色々な場所に取り付けることができるよう、種々の形状を有するもの、または種々の接続端子を有するものが販売されている。その中でも直管形ＬＥＤ蛍光灯は、従来の直管形蛍光灯と同じ形状及び接続端子を有し、既設の直管形蛍光灯用の点灯器具に取り付けることができるので、広く用いられるようになってきている。但し、この場合、従来の蛍光灯とＬＥＤ蛍光灯とでは、点灯方法が異なるため、既設の安定器やインバータ等の機器はＬＥＤ蛍光灯に対しては不要となる。従って、ＬＥＤ蛍光灯の取り付けの際には、これらの機器との接続を回避するための配線変更等の工事が必要である。
【０００４】
一方、家屋の室内や店舗などにおいては、小型の照明器具などを取り付けて使用するためのダクトレールが、天井面や壁面等に広く設置されるようになってきている。ダクトレールは、そのレールの種々の場所に照明器具を取り付けることができるので、例えば、家庭での家具の配置や生活スタイルに合わせて、照明器具の位置を自在に変えることができる。また、ダクトレールは、ショウルームや展示会場等でのディスプレイ効果を高める目的で展示品や陳列品をスポット的に照らすため等に、様々な色やサイズ等を有する照明器具を複数取り付ける場合にも用いられる。
【０００５】
このようなダクトレールに、様々な種類の照明灯を設置して使用するための取付装置としては種々のものが開発されている（例えば、実用新案登録第３１１８８５４号公報）。このような取付装置を用いることにより、従来の蛍光灯用点灯器具をダクトレールに接続することができ、そこに直管形ＬＥＤ蛍光灯を取り付けて使用することもできる。
【０００６】
しかし、このようにダクトレールに接続された従来の蛍光灯用点灯器具に直管形ＬＥＤ蛍光灯を取り付ける場合、上述のように既設の安定器やインバータ等は不要であるので、上述の配線変更等の煩雑な工事が必要になる。また、当該蛍光灯用点灯器具は安定器やインバータ等の機器を有しているためサイズが大きく、その上、ダクトレールと当該蛍光灯用点灯器具を接続する取付装置はダクトレールから垂直等に突出する構造になっているため、ダクトレールに直管形ＬＥＤ蛍光灯を設置するには、非常に場所を取り、邪魔になることもしばしばであった。さらに、ＬＥＤ蛍光灯には種々の色や長さのものがあり、ダクトレールはこれら複数の直管形ＬＥＤ蛍光灯を設置して使用することができるようになっている。しかし、ダクトレールに、上記取付装置を用いて従来の蛍光灯用点灯装置を設置して直管形ＬＥＤ蛍光灯を取り付けるのでは、それぞれの直管形ＬＥＤ蛍光灯の長さに応じた蛍光灯用点灯装置を準備しなければならず、また、上述のように場所を取るため、より多くの直管形ＬＥＤ蛍光灯を取り付けることは困難である。このように、ダクトレールに直管形ＬＥＤ蛍光灯をコンパクトに取り付けることが求められているにもかかわらず、それを実現できる取付装置は存在しない。
【先行技術文献】
【特許文献】
【０００７】
【特許文献１】実用新案登録第３１１８８５４号公報
【考案の概要】
【考案が解決しようとする課題】
【０００８】
本考案はこれらの不都合に鑑みてなされたものであり、ダクトレールに直管形ＬＥＤ蛍光灯をコンパクトに取り付けることができ、また、任意の長さの直管形ＬＥＤ蛍光灯を取り付けることができる取付装置の提供を目的とするものである。
【課題を解決するための手段】
【０００９】
上記課題を解決するためになされた考案は、
レール内に接点があるダクトレールに直管形ＬＥＤ蛍光灯を取り付けるための取付装置であって、
直管形ＬＥＤ蛍光灯の両端を係止可能に構成される一対のコンセントプラグを備え、
このコンセントプラグが、
ダクトレールに係止可能な取付部と、
直管形ＬＥＤ蛍光灯の端部の電極を保持可能なソケットと
を有し、
ダクトレールの接点と直管形ＬＥＤ蛍光灯の電極とを電通可能に構成されていることを特徴とする取付装置である。
【００１０】
当該取付装置は、直管形ＬＥＤ蛍光灯の両端を係止可能に構成される一対のコンセントプラグを備えている。また、このコンセントプラグは、ダクトレールに係止可能な取付部と、直管形ＬＥＤ蛍光灯の端部の電極を保持可能なソケットとを有している。このような構成により、当該取付装置によれば、直管形ＬＥＤ蛍光灯の両端の電極を保持して、ダクトレールに取り付けることができる。また、当該コンセントプラグにおいては、ダクトレールの接点と直管形ＬＥＤ蛍光灯の電極とが電通可能に構成されている。従って、当該取付装置によれば、ダクトレールの接点から、取り付けた直管形ＬＥＤ蛍光灯に電力を供給することができ、直管形ＬＥＤ蛍光灯を点灯させて使用することができる。当該取付装置を構成するコンセントプラグは、上記取付部と、上記ソケットとを備える小さくかつ簡単な構成である。従って、当該取付装置によれば、直管形ＬＥＤ蛍光灯を、非常にコンパクトに、すなわちダクトレールの長手方向と平行に、かつダクトレールの開口の直近に、あまり場所を取らずに取り付けることができ、その結果省スペース化を図ることができる。また、このように直管形ＬＥＤ蛍光灯をコンパクトに取り付けることができるので、ダクトレールに種々の色や長さの直管形ＬＥＤ蛍光灯を、より多く取り付けることができる。また当該取付装置によれば、一対のコンセントプラグを用いて、直管形ＬＥＤ蛍光灯を保持する方式を採用しているので、一対のコンセントプラグの取付位置間の距離を調節することによって、任意の長さの直管形ＬＥＤ蛍光灯を取り付けることができる。
【００１１】
上記ダクトレールが、矩形状断面を有し、下面に長手方向の開口を有する筒状体であり、内部の左右の側面に長手方向の接点用凹条溝及び係止用凹条溝を上下に有しており、
上記取付部が、フック軸と、このフック軸から垂直に延出し、接点用凹条溝に嵌合可能な接点用係合片と、フック軸から垂直に延出し、係止用凹条溝に嵌合可能な一対の係止用係合片とを有するとよい。当該取付装置は、フック軸から垂直に延出した接点用係合片及び一対の係止用係合片を有しており、これらが、それぞれダクトレールの接点用凹条溝及び係止用凹条溝に嵌合することにより、コンセントプラグがダクトレールに強固に固定される。このような固定方式を採用していることによって、固定したコンセントプラグが移動するおそれが小さいので、取り付けた直管形ＬＥＤ蛍光灯の落下等の危険性を抑制することができ、安全性を高めることができる。また、取り付けた直管形ＬＥＤ蛍光灯に対して、ダクトレールの接点から、確実に電力を供給することができる。
【００１２】
当該取付装置を構成するコンセントプラグにおいて、上記フック軸の最小幅寸法が、上記ダクトレールの開口幅以下であるとよい。当該コンセントプラグは、そのフック軸の最小幅寸法が、ダクトレールの開口幅以下であることにより、その取付部をダクトレールの開口を通して内部に挿入することができる。そして、当該取付部をダクトレール内部に挿入した後、コンセントプラグを回動等させることによって、ダクトレールに当該取付部を係合させて固定することができる。従って当該取付装置によれば、簡単な操作によって、コンセントプラグをダクトレールに取り付けることができ、また取り外すことができる。その結果、簡便にダクトレールに直管形ＬＥＤ蛍光灯を取り付けることができ、また、取り外し、付け替えも簡便に行うことができる。
【００１３】
当該取付装置を構成するコンセントプラグにおいて、上記接点用係合片及び上記係止用係合片が伸縮自在に構成されているとよい。当該取付装置によれば、当該取付装置に係るコンセントプラグの接点用係合片及び係止用係合片はそれぞれ伸縮できるよう構成されていることにより、これらの伸縮操作により、ダクトレールへの固定又は取り外しを行うことができる。そのため、当該取付装置によれば、非常に簡単な操作によって、非常に簡便にダクトレールに直管形ＬＥＤ蛍光灯を取り付けることができる。また当該取付装置によれば、このような構成を有していることで、コンセントプラグをダクトレールに取り付けたまま簡単にスライド移動させることができるので、取り付けた直管形ＬＥＤ蛍光灯の各端部にコンセントプラグをよりフィットさせて、より密接に保持することができる。従って、取り付けた直管形ＬＥＤ蛍光灯の落下等の危険性をさらに抑制することができ、安全性をさらに向上させることができる。さらに、当該取付装置によれば、上述のように接点用係合片及び係止用係合片が伸縮自在の構成を有していることにより、これらの係合片の両末端間の長さを変えることができる。このように両末端間の長さを変えることができることによって、ダクトレールの製造メーカーの違い等により、一対の係止用凹条溝の両端間の長さが異なる様々なダクトレールに対しても、コンセントプラグの係止用係合片の両末端間の長さを変えることにより、当該取付装置を取り付けることができる。
【００１４】
上記コンセントプラグが、
上記ダクトレールに当接可能な固定部材をさらに有するとよい。当該取付装置によればこのような固定部材をさらに有していることにより、ダクトレールに取り付けられている当該取付装置の移動を防止でき、直管形ＬＥＤ蛍光灯の落下等の危険性をさらに抑制し、安全性をさらに高めることができる。
【００１５】
複数の上記ソケットを有し、
かつこれらのソケットが同一の向きに配設されているとよい。当該取付装置によれば、複数の直管形ＬＥＤ蛍光灯をコンパクトに、すなわち、これら複数の直管形ＬＥＤ蛍光灯がダクトレールの長手方向の向きに、かつ互いに平行に取り付けることができる。
【００１６】
複数の直管形ＬＥＤ蛍光灯の端部を係止可能に構成される結合プラグをさらに備え、
この結合プラグが、
ダクトレールに係止可能な取付部と、
直管形ＬＥＤ蛍光灯の端部の電極を保持可能な複数のソケットと
を有し、
かつこれらのソケットの少なくとも一対が互いに逆向きに配設されており、
ダクトレールの接点と複数の直管形ＬＥＤ蛍光灯の電極とを通電可能に構成されているとよい。当該取付装置は、上記一対のコンセントプラグとともに、複数の直管形ＬＥＤ蛍光灯の端部を係止可能に構成される結合プラグをさらに備えている。当該結合プラグは、ダクトレールに係止可能な取付部を有するととともに、直管形ＬＥＤ蛍光灯の端部の電極を保持可能な複数のソケットを有し、それらのソケットの少なくとも一対は互いに逆向きに配設されている。また、当該結合プラグにおいては、ダクトレールの接点と上記複数の直管形ＬＥＤ蛍光灯の電極とが通電可能に構成されている。これらの構成により、当該結合プラグによれば、その一面側及び反対面側において、複数の直管形ＬＥＤ蛍光灯の端部の電極を保持して電力を供給しつつ、ダクトレールに取り付けることができる。よって、当該取付装置によれば、このような結合プラグを、上記一対のコンセントプラグの間に配設することにより、複数の直管形ＬＥＤ蛍光灯をダクトレールに直線的に並べて取り付けることができ、それらを点灯させることができる。従って、当該取付装置によれば、複数の直管形ＬＥＤ蛍光灯をダクトレールに直線的に並べて取り付けるに際し、複数対の上記コンセントプラグを用いる場合に比べて、用いるプラグの個数を減らすことができる。またその結果、さらなる省スペース化を図ることができる。
【００１７】
当該取付装置において、
直管形ＬＥＤ蛍光灯の中央部を係止可能に構成される支持部材をさらに備え、
この支持部材が、
ダクトレールに係止可能な取付部と、
直管形ＬＥＤ蛍光灯に外嵌可能なフック部と
を有しているとよい。当該取付装置は、上記一対のコンセントプラグとともに、直管形ＬＥＤ蛍光灯の中央部を係止する支持部材をさらに備えている。このような支持部材を備えることにより、当該取付装置によれば、長さの長い直管形ＬＥＤ蛍光灯をダクトレールに設置する場合でも、当該直管形ＬＥＤ蛍光灯のたわみを防止することができ、またその重さによる落下の危険性を抑制して、安全性を高めることができる。また、当該支持部材は、ダクトレールに係止可能な取付部と、直管形ＬＥＤ蛍光灯に外嵌可能なフック部とを有しており、小さくかつ簡単な構成である。従って、当該取付装置によれば、非常にコンパクトに直管形ＬＥＤ蛍光灯の中央部を支持することができるので、省スペース化を図ることができる。
【００１８】
ここで、「直管形ＬＥＤ蛍光灯」とは、直管形蛍光灯と互換性を有するＬＥＤ照明装置を意味する。
【考案の効果】
【００１９】
以上説明したように、本考案の取付装置によれば、直管形ＬＥＤ蛍光灯をコンパクトにダクトレールに取り付けることができる。また、当該取付装置によれば、任意の長さの直管形ＬＥＤ蛍光灯を、コンパクトにダクトレールに取り付けることができる。
【図面の簡単な説明】
【００２０】
【図１】本考案の第１実施形態の取付装置に係るコンセントプラグの正面図である。
【図２】図１のコンセントプラグの側面図である。
【図３】図１のコンセントプラグをダクトレールに取り付けた際の正面図である。
【図４】本考案の第２実施形態の取付装置に係るコンセントプラグの正面図である。
【図５】図４のコンセントプラグの側面図である。
【図６】図４のコンセントプラグをダクトレールに取り付けた際の正面図である。
【図７】本考案の第３実施形態の取付装置に係るコンセントプラグの正面図である。
【図８】本考案の第４実施形態の取付装置に係る結合プラグの正面図である。
【図９】本考案の第４実施形態の取付装置の使用方法を示す側面図である。
【図１０】本考案の第５実施形態の取付装置に係る支持部材の正面図である。
【図１１】本考案の第５実施形態の取付装置の使用方法を示す側面図である。
【図１２】ダクトレールの断面を示す模式図である。
【考案を実施するための形態】
【００２１】
以下、適宜図面を参照しつつ、本考案の取付装置の実施の形態を詳説する。本考案の取付装置は、同一の構造を有するコンセントプラグの一対を対向させて用いることにより、直管形ＬＥＤ蛍光灯の両端部を保持して、ダクトレールに取り付けるものである。このように、本考案の取付装置に係る一対のコンセントプラグは同一の構造を有しているので、ここでは、１つのコンセントプラグについて図示し、説明する。
【００２２】
本考案の第１実施形態の取付装置に係るコンセントプラグ１を図１及び図２を用いて説明する。当該コンセントプラグ１は、プラグ本体２と、プラグ本体２の上面に突設された取付部３と、プラグ本体２の正面側に配設されたソケット７とを主に備えている。
【００２３】
プラグ本体２は、略角柱の形状を有しており、合成樹脂等の材質で形成されている。またプラグ本体２は、後述する取付部３の接点用係合片５と、ソケット７内の接続端子とを電気的に接続する配線を通す空洞を有している。
【００２４】
取付部３は、プラグ本体２の上面に対して垂直方向に突設されたフック軸４と、このフック軸４の頂部から垂直かつ一方向に延出する一つの接点用係合片５と、このフック軸４から垂直かつ左右の両方向に延出する一対の係止用係合片６、６’とを有している。
【００２５】
フック軸４は、略角柱の形状を有している。また、フック軸４は、合成樹脂製の材質であり、プラグ本体２や一対の係止用係合片６、６’等と一体的に形成されている。フック軸４の最小幅寸法は、上記ダクトレール６１の開口６２の幅以下であるよう設定されている。フック軸４の最小幅寸法が、ダクトレール６１の開口６２の幅以下に設定されていることにより、当該取付部３をダクトレール６１の開口６２から内部へ挿入させることができ、それから、回動操作等により、当該取付部３をダクトレール６１の内部に係合させることができる。従って、当該コンセントプラグ１によれば、そのようなフック軸４の最小幅に設定することにより、簡便な操作で、ダクトレール６１への取り付け及び取り外しをすることができる。
【００２６】
接点用係合片５は、略板状の形状を有する金属製の金具である。当該接点用係合片５はダクトレール６１の一方の接点用凹条溝６３に嵌合することによって、当該接点用係合片５と当該接点用凹条溝６３の奥に配設された接点６４とが接するよう構成されている。
【００２７】
一対の係合片６、６’は、それぞれ略板状の形状を有している。一対の係合片６、６’がダクトレール６１の一対の係止用凹条溝６５、６５’に嵌合することによって、当該コンセントプラグ１がダクトレール６１に固定される。
【００２８】
ソケット７は、回転式の蛍光灯ソケットであり、プラグ本体２の正面側に埋設されている。ソケット７は正面円形の外形状を有しており、その円形の中心まわりに回動可能となっている。ソケット７はその直径方向にスリット８を有しており、また、このスリット８とプラグ本体２の下面との間には、これらを連通するように導入溝９が配設されている。当該ソケット７は、スリット８の所定位置まで直管形ＬＥＤ蛍光灯の一対の電極６７、６７’を挿入した後、ソケット７を円形まわりに約９０度回転させることにより、一方の電極６７が、ソケット７の内部に配設された一つの接続端子（図示せず）と電気的に接触するように構成されている。また、この接続端子は、上記接点用係合片５と導線で連結されている。このように構成されていることによって、当該コンセントプラグ１をダクトレール６１に取り付けた際、ダクトレール６１の一方の接点６４から当該コンセントプラグ１のソケット７内の接続端子へ電力が供給される。  
【００２９】
次に、このように構成されたコンセントプラグ１を一対用いて、直管形ＬＥＤ蛍光灯６６をダクトレール６１に取り付ける操作について説明する。
【００３０】
まず、コンセントプラグ１を取り付ける一般的なダクトレール６１について説明する。ダクトレール６１の断面図を図１２に示す。ダクトレール６１は、断面が矩形状に形成され、その下面に長手方向の開口６２を有する筒状体である。ダクトレール６１内部の左右の側面には、長手方向に一対の接点用凹条溝６３、６３’が設けられており、それぞれの奥には電力を供給する接点６４、６４’が配設されている。また、ダクトレール６１内部の接点用凹条溝６３、６３’より下方の左右側面には、長手方向に、一対の係止用凹条溝６５、６５’が配設されている。
【００３１】
次に、コンセントプラグ１をダクトレール６１に取り付ける操作について説明する。コンセントプラグ１のソケット７のスリット８の方向が垂直方向になっている状態で、一つの接点用係合片５及び一対の係止用係合片６、６’が延出する方向を、ダクトレール６１の開口６２の長手方向にほぼ一致させ、ダクトレール６１の開口６２からコンセントプラグ１の取付部３を挿入する。それからコンセントプラグ１を、そのソケット７が所望の方向、すなわち、直管形ＬＥＤ蛍光灯６６を取り付ける位置の方を向くように、フック軸４の垂直軸を中心にして、コンセントプラグ１全体を約９０度回転させる。このような操作によって、図３に示すように、一つの接点用係合片５が、ダクトレール６１の一方の接点用凹条溝６３に嵌合するとともに、一つの接点用凹条溝６３内部の接点６４に接触する。また、一対の係止用係合片６、６’が、ダクトレール６１の一対の係止用凹条溝６５、６５’に嵌合する。その結果、コンセントプラグ１は、ダクトレール６１に強固に係合するとともに、ダクトレール６１の一方の接点６４と、コンセントプラグ１のソケット７内の接続端子が電気的に接続される。次に、取り付けたコンセントプラグ１と同一のコンセントプラグ１をダクトレール６１の離れた位置に上記同様の方法で取り付ける。このとき、２つのコンセントプラグ１のソケット７同士の距離が、取り付ける直管形ＬＥＤ蛍光灯６６の蛍光灯の長さと同じになるように、かつ、２つのコンセントプラグ１のソケット７同士が対向するように取り付ける。このように当該一対のコンセントプラグ１によれば、取り付ける直管形ＬＥＤ蛍光灯６６の長さに合わせてその取付位置を変えることにより、任意の長さの直管形ＬＥＤ蛍光灯６６を取り付けることができる。
【００３２】
続いて、上記でダクトレール６１に取り付けた一対のコンセントプラグ１、１に直管形ＬＥＤ蛍光灯６６を取り付ける操作について説明する。当該直管形ＬＥＤ蛍光灯６６を、その両端部に配設されたそれぞれ一対の電極６７、６７’が鉛直方向に配列するようにした状態で、各コンセントプラグ１のプラグ本体２の下端から各導入溝９に挿通させて導入する。そして、直管形ＬＥＤ蛍光灯６６の両端部のそれぞれ一対の電極６７、６７’がソケット７のスリット８のほぼ中心に位置するまで上昇させる。それから、直管形ＬＥＤ蛍光灯６６を、それぞれのコンセントプラグ１のソケット７を回動させながら、約９０度回転させる。このような操作によって、一対のコンセントプラグ１、１に直管形ＬＥＤ蛍光灯６６が取り付けられる。そして、直管形ＬＥＤ蛍光灯６６の一方の端部に配設された一方の電極６７とダクトレール６１の一方の接点６４が電気的に接続され、また他方の端部の一方の電極６７’とダクトレール６１の他方の接点６４’とが電気的に接続される。このようにして、当該一対のコンセントプラグ１によれば、当該直管形ＬＥＤ蛍光灯６６をダクトレール６１に取り付けることができ、また、点灯させることができる。
【００３３】
このように、本考案の第１実施形態の取付装置によれば、一対のコンセントプラグ１を用いることにより、直管形ＬＥＤ蛍光灯６６をダクトレール６１の直近にコンパクトに取り付けることができる。また当該取付装置によれば、ダクトレール６１に取り付ける一対のコンセントプラグ１、１間の距離を調節することにより、任意の長さの直管形ＬＥＤ蛍光灯を取り付けることができる。
【００３４】
次に、本考案の第２実施形態の取付装置に係るコンセントプラグ１１を図４及び図５を用いて説明する。当該コンセントプラグ１１は、プラグ本体１２と、プラグ本体１２の上面に突設された取付部１３と、プラグ本体１２の正面に配設されたソケット２２とを主に備えている。
【００３５】
プラグ本体１２は、略角柱の形状を有しており、合成樹脂等の材質で形成されている。プラグ本体１２は、後述する一対の操作部材１７、１７’、一対の連結部材１８、１８’及びバネ部材１９を配設し、また取付部１３の接点用係合片１５とソケット２２内の接続端子とを電気的に接続する導線を通す空洞を有している。当該空洞の両側面側にはそれぞれ矩形の開口部を有しており、一対の操作部材１７、１７’が挿通されている。
【００３６】
取付部１３は、プラグ本体１２の上面に対して垂直方向に突設されたフック軸１４と、このフック軸１４から垂直かつ一方向に延出する一つの接点用係合片１５と、このフック軸１４から垂直かつ左右の両方向に延出する一対の係止用係合片１６、１６’と、このフック軸１４の上面から突出する固定部材２０とを有している。
【００３７】
接点用係合片１５は、略板状の形状を有する金属製の金具であり、フック軸１４からの延出方向に可動に構成されている。当該接点用係合片１５は、このような構成によりフック軸１４の中心から当該接点用係合片１５の係合端までの長さが伸縮自在になっている。
当該接点用係合片１５は、この伸縮において伸びる方向に移動することにより、ダクトレール６１の一方の接点用凹条溝６３に嵌合する。このようにして、当該接点用係合片１５と当該接点用凹条溝６３の奥に配設された接点６４とが接するよう構成されている。
【００３８】
一対の係止用係合片１６、１６’は、それぞれ略板状の形状を有しており、また、フック軸１４からの延出方向に可動に構成されている。当該一対の係止用係合片１６、１６’は、このような構成により、一対の係止用係合片１６、１６’の両係合端間の長さが伸縮自在になっている。当該一対の係合用係合片１６、１６’は、この伸縮において伸びる方向に移動することにより、ダクトレール６１の一対の係止用凹条溝６５、６５’に嵌合する。そして、当該コンセントプラグ１１はダクトレール６１に強固に固定される。
【００３９】
上記一つの接点用係合片１５、一方の係止用係合片１６、及び上記一方の操作部材１７は接続部材１８によって連結されている。また、他方の係止用係合片１６及び他方の操作部材１７’は接続部材１８’によって連結されている。これら接続部材１８及び接続部材１８’の間には、バネ部材１９が弾発するように配設されている。これらの構成により、一対の操作部材１７、１７’を内側へ押圧することで、上記一つの接点用係合片１５及び一対の係止用係合片１６、１６’がフック軸１４の軸中心の方向に移動するようになっている。本実施形態においては、接点用係合片１５及び一対の係止用係合片１６、１６’を移動させる方式として上記機構を用いているが、これに限定されるものではなく、種々の方式を採用することができる。
【００４０】
固定部材２０は、その先端が凸状の形状を有する略円柱体である。当該凸状の形状は、固定部材２０がダクトレール６１の内部上面に当接できるものである限り、特に限定されるものではなく、例えば、半球形状であっても、先端が鋭角又は鈍角の円錐形状であっても構わない。当該固定部材２０はプラグ本体１２の空洞内に配設され、その先端が上記取付部１３の上面に挿通された穴から突出している。そして、当該固定部材２０の下端とプラグ本体１２の空洞内面との間にはバネ部材２１が弾発されるように配置されているので当該固定部材２０は、常に上方に付勢されている。従って、コンセントプラグ１１をダクトレール６１に取り付けた際には、固定部材２０の先端の凸部はダクトレール６１の内部上面に強く圧接される。そのため、当該コンセントプラグ１１は、ダクトレール６１に強固に係合することができる。よって、固定したコンセントプラグ１１が移動して取り付けた直管形ＬＥＤ蛍光灯６６が落下する等の危険性を抑制することができる。
【００４１】
ソケット２２は、プッシュ式の蛍光灯ソケットである。ソケット２２は、正面円形の外形状を有し、その円形の表裏方向に可動に構成されている。当該ソケット２２は、その円形内に取り付ける直管式ＬＥＤ蛍光灯６６の各端部に配設された一対の電極６７、６７’を挿入する一対の挿入穴２３、２３’が設けられている。当該ソケット２２は、直管形ＬＥＤ蛍光灯の一対の電極６７、６７’を当該一対の挿入穴２３、２３’に挿入することによって、一方の電極６７がソケット２２の内部に配設された一つの接続端子（図示せず）と電気的に接触するように構成されている。また、この接続端子は、上記接点用係合片１５と導線で連結されている。このように構成されていることによって、当該コンセントプラグ１１をダクトレール６１に取り付けた際、ダクトレール６１の一方の接点６４から当該コンセントプラグ１１のソケット２２内の接続端子へ電力が供給される。
【００４２】
次に、このように構成されたコンセントプラグ１１を一対用いて直管形ＬＥＤ蛍光灯６６をダクトレール６１に取り付ける操作について説明する。まず、コンセントプラグ１１をダクトレール６１に取り付ける操作について説明する。
【００４３】
コンセントプラグ１１のソケット２２が所望の方向、すなわち直管形ＬＥＤ蛍光灯６６を取り付ける位置の方向を向くように手指で保持する。それからプラグ本体１２両側面に配設された操作部材１７、１７’を両側から手指で押圧し、一対の係止用係合片１６、１６’の両端間の幅がダクトレール６１の開口６２の幅より小さくなるようにする。その状態で、取付部１３を開口６２に挿入し、固定部材２０の先端の凸部をダクトレール６１の内面上壁に圧接させながら、一対の係止用係合片１６、１６’の高さとダクトレール６１の係止用凹条溝６５、６５’の高さがほぼ一致するように当該コンセントプラグ１１を保持する。それから、操作部材１７、１７’の押圧を解除する。このような操作により、一つの接点用係合片１５が、ダクトレール６１の接点用凹条溝６３に嵌合するとともに接点用凹条溝６３内部の接点６４に接する。また、一対の係止用係合片１６、１６’がダクトレール６１の一対の係止用凹条溝６４、６４’に嵌合する。また、上方に付勢された固定部材２０とダクトレール６１の内面上壁とが強固に係合する。その結果、コンセントプラグ１１は、ダクトレール６１に強固に固定されるとともに、ダクトレール６１の一方の接点６４と、コンセントプラグ１１のソケット２２内の接続端子が電気的に接続される。このような操作によって、図６に示すように、コンセントプラグ１１はダクトレール６１に取り付けられる。次に、取り付けたコンセントプラグ１１と同一のコンセントプラグ１１を、ダクトレール６１の離れた位置に上記同様の方法で取り付ける。このとき、２つのコンセントプラグ１１のソケット２２同士の距離が、取り付ける直管形ＬＥＤ蛍光灯６６の長さと同じになるように、かつ、２つのコンセントプラグ１１のソケット２２同士が対向するように取り付ける。
【００４４】
続いて、上記でダクトレール６１に取り付けた一対のコンセントプラグ１１、１１に直管形ＬＥＤ蛍光灯６６を取り付ける操作について説明する。直管形ＬＥＤ蛍光灯６６を、その一方端の一対の電極６７、６７’を一方のコンセントプラグ１１のソケット２２の端子穴２３、２３’に挿入した状態で、直管形ＬＥＤ蛍光灯６６で当該ソケット２２を押圧しながら、当該直管形ＬＥＤ蛍光灯６６の他方端の一対の電極６７、６７’を他方のコンセントプラグ１１のソケット２２の端子穴２３、２３’に挿入する。このような操作によって、一対のコンセントプラグ１１、１１に直管形ＬＥＤ蛍光灯６６が取付られる。そして、直管形ＬＥＤ蛍光灯６６の一方の端部の一方の電極６７とダクトレール６１の一方の接点６４及び他方の端部の一方の電極６７’とダクトレール６１の他方の接点６４’とが電気的に接続される。このようにして、当該一対のコンセントプラグ１１、１１によれば当該直管形ＬＥＤ蛍光灯６６をダクトレール６１に取り付けることができ、また、点灯させることができる。
【００４５】
このように本考案の第２実施形態の取付装置によれば、一対のコンセントプラグ１１、１１を用いることにより、直管形ＬＥＤ蛍光灯６６をダクトレールの直近にコンパクトに取り付けることができる。また当該取付装置によれば、ダクトレール６１に取り付ける一対のコンセントプラグ１１、１１間の距離を調節することにより、任意の長さの直管形ＬＥＤ蛍光灯を取り付けることができる。さらに、当該取付装置によれば、コンセントプラグ１１において、一対の係止用係合片１６、１６’の両係合端間の長さを変えることができるので、ダクトレール６１の一対の係止用凹条溝６４、６４’の両端間の長さが製造メーカー等によって変わっても、コンセントプラグ１１を取り付けることができる。また、当該コンセントプラグ１１によれば、一対の操作部材１７、１７’を両側から押圧し又はそれを解除することによって、当該コンセントプラグ１１とダクトレール６１との係合及びその解除をすることができるので、非常に簡便にコンセントプラグ１１をダクトレール６１に着脱させることができる。また、同様の操作によって、コンセントプラグ１１をダクトレール６１の内部に挿入したまま、その長手方向にスライド移動させて取付位置を変えることができる。このような操作により、当該コンセントプラグ１１によれば、直管形ＬＥＤ蛍光灯６６をその両端でより密接に保持することができるので、取り付けた直管形ＬＥＤ蛍光灯６６の落下等の危険性を抑制することができる。その上、コンセントプラグ１１によれば、固定部材２０がダクトレール６１の内部上壁に強く係合するので、取り付けたコンセントプラグ１１のダクトレール６１への固定をさらに強固なものとすることができる。その結果取り付けた直管形ＬＥＤ蛍光灯６６の落下等の危険性をさらに抑制し、安全性をさらに高めることができる。
【００４６】
続いて、本考案の第３実施形態の取付装置に係るコンセントプラグ３１を図７を用いて説明する。当該コンセントプラグ３１は、プラグ本体３２と、プラグ本体３２の上面に突設された取付部３と、プラグ本体３２の正面に配設された２個のソケット７、７’とを備えている。コンセントプラグ３１は、上述したコンセントプラグ１とは、ソケット７の個数のみが異なっている。取付部３、フック軸４、一つの接点用係合片５、一対の係止用係合片６、６’は、上記コンセントプラグ１と同様であるので、同一番号を付して説明を省略する。また、２個のソケットについて、ソケットは７及び７’、スリットは８及び８’並びに導入溝は９及び９’とする。
【００４７】
プラグ本体３２は、略角柱の形状を有しており、合成樹脂等の材質で形成されている。プラグ本体３２は、後述する取付部３の接点用係合片５と、ソケット７及び７’内の接続端子とを電気的に接続する導線を通す空洞を有している。
【００４８】
プラグ本体３２の正面側に配設された２個のソケット７及び７’は、同一の向きに配設されている。従って、当該コンセントプラグ３１を一対用いることにより、２本の直管形ＬＥＤ蛍光灯６６をダクトレール６１の長手方向に平行させて取り付けることができる。当該２個のソケット７及び７’は、それぞれ上記コンセントプラグ１におけるソケット７と同様のものである。またソケット７及び７’の内部に配設された接続端子（図示せず）は、それぞれ上記取付部３の頂部に配設された一つの接点用係合片５と導線により電気的に接続されている。このような構成により、当該コンセントプラグ３１をダクトレール６１に取り付けた際、ダクトレール６１の一方の接点６４から当該コンセントプラグ３１の２つのソケット７及び７’の両方の接続端子に電力が供給される。
【００４９】
当該コンセントプラグ３１を用いて、ダクトレール６１に２本の直管形ＬＥＤ蛍光灯６６を取り付ける操作は、上記コンセントプラグ１の場合とは、取り付ける直管形ＬＥＤ蛍光灯６６の本数が異なるのみであり、上記一対のコンセントプラグ１を用いて１本の直管形ＬＥＤ蛍光灯６６を取り付ける場合と同様である。
【００５０】
このように本考案の第３実施形態の取付装置によれば、一対のコンセントプラグ３１、３１を用いることによって、ダクトレール６１に複数の直管形ＬＥＤ蛍光灯６６を平行にかつコンパクトに取り付けることができ、省スペース化を図ることができる。
【００５１】
次に、本考案の第４実施形態の取付装置に係る結合プラグ４１について図８を用いて説明する。当該結合プラグ４１は、プラグ本体４２と、プラグ本体４２の上面に突設された取付部４３と、プラグ本体４２の正面側及び裏面側にそれぞれ１個ずつソケット７及びソケット７’（図示せず）とを備えている。当該結合プラグ４１は一つの接点用係合片５、一対の係止用係合片６、６’、並びにプラグ本体４２の正面側のソケット７、スリット８及び導入溝９については、上記取付装置１と同様であるので、同一番号を付して説明を省略する。また、プラグ本体４２の裏面側に配設されたソケット７’に対応して、スリット８’（図示せず）、導入溝９’（図示せず）と表示する。
【００５２】
プラグ本体４２は、略角柱の形状を有しており、合成樹脂等の材質で形成されている。プラグ本体４２は、後述する取付部４３の一対の接点用係合片５、５’のそれぞれと、２つのソケット７、７’内の各接続端子を電気的に接続する配線を通す空洞を有している。
【００５３】
取付部４３は、垂直方向のフック軸４４と、このフック軸４４の頂部から垂直かつ左右の両方向に延出する一対の接点用係合片５、５’と、このフック軸４４から垂直かつ左右の両方向に延出する一対の係止用係合片６、６’とを有している。
【００５４】
一対の接点用係合片５及び５’はそれぞれ略矩形の形状を有する金属製の金具である。一方の接点用係合片５は、プラグ本体４２の正面側に配設されたソケット７内の接続端子に、また他方の接点用係合片５’は、プラグ本体４２の裏面側に配設されたソケット７’の接続端子に、それぞれ導線により電気的に接続されている。このように構成されていることによって、当該結合プラグ４１をダクトレール６１に取り付けた際、ダクトレール６１の一方の接点６４から当該結合プラグ４１の正面側のソケット７内の接続端子へ電力が供給され、また、他方の接点６４’から裏面側のソケット７’内の接続端子へ電力が供給される。当該結合プラグ４１によれば、このような構成により、その両面のソケット７及び７’に別々の直管形ＬＥＤ蛍光灯６６の片端部を保持することができ、またそれぞれの直管形ＬＥＤ蛍光灯６６の端部の電極に電力を供給することができる。
【００５５】
次に、当該結合プラグ４１と、一対のコンセントプラグ１、１とを用いて、ダクトレール６１に２本の直管形ＬＥＤ蛍光灯６６を取り付ける操作について説明する。まず、当該結合プラグ４１をダクトレール６１に取り付けるが、その取り付け方はコンセントプラグ１と同様である。当該結合プラグ４１は、プラグ本体４２の正面側及び裏面側の両側にソケット７及び７’を有しているが、それぞれをどちらの向きに向けて配設してもよい。次に、取り付けた結合プラグ４１の両側の離れた位置に一対のコンセントプラグ１、１を上記同様の操作で取り付ける。このとき、取り付ける直管形ＬＥＤ蛍光灯６６の蛍光灯の長さが結合プラグ４１とコンセントプラグ１のソケット７同士の距離と同じになるように、かつ、結合プラグ４１とコンセントプラグ１のソケット７同士が対向するように取り付ける。
【００５６】
続いて、結合プラグ４１とコンセントプラグ１のそれぞれの間に、２本の直管形ＬＥＤ蛍光灯６６を取り付ける。取付方法は、上記一対のコンセントプラグ１、１の間に直管形ＬＥＤ蛍光灯６６を取り付ける方法と同様である。このような操作によって、図９のように、２本の直管形ＬＥＤ蛍光灯６６を、直線的に配列させて取り付けることができる。
【００５７】
このように、本考案の第４実施形態の取付装置によれば、上記一対のコンセントプラグ１、１とともに結合プラグ４１を用いることによって、ダクトレール６１に、複数の直管形ＬＥＤ蛍光灯６６を直線的に配列させて取り付けることができる。また、当該取付装置によれば、複数の直管形ＬＥＤ蛍光灯６６を直線的に配列させて取り付ける場合に、複数対のコンセントプラグを用いるときと比較して、用いるコンセントプラグの数を減らすことができる。従って、当該取付装置によれば、複数の直管形ＬＥＤ蛍光灯をさらにコンパクトに取り付けることができ、さらなる省スペース化を図ることができる。
【００５８】
続いて、本考案の第５実施形態の取付装置に係る支持部材５１について、図１０を用いて説明する。当該支持部材５１は、フック部５２とこのフック部５２の上端に突設された取付部５３を備えている。
【００５９】
フック部５２は、下部に開口を有する略Ｃ字形の形状を有している。当該プラグ本体は金属又は合成樹脂等の弾性体等で形成されている。このようにフック部５２が略Ｃ字形の形状を有していることにより、その内側に直管形ＬＥＤ蛍光灯６６の中間部を保持することができる。また、フック部５２が弾性体等で形成されていることにより、その開口部を押し広げて直管形ＬＥＤ蛍光灯６６の中間部をその内側へ挿入させることができるとともに、押し広げを解除することにより、直管形ＬＥＤ蛍光灯６６の中間部を保持することができる。
【００６０】
取付部５３は、垂直方向のフック軸５４と、このフック軸５４から垂直かつ左右の両方向に延出する一対の係止用係合片５５、５５’とを有している。
【００６１】
当該支持部材５１によれば、このような構成を有することにより、直管形ＬＥＤ蛍光灯６６の中間部を、ダクトレール６１にコンパクトに保持することができる。従って、当該支持部材５１によれば、長さの長い直管形ＬＥＤ蛍光灯６６であっても、その中間部を保持することによって、その蛍光管のたわみを防止することができる。また、そのような蛍光管のたわみ等に起因する直管形ＬＥＤ蛍光灯６６の落下等の危険性を抑制することができ、安全性を向上させることができる。
【００６２】
次に、このように構成された支持部材５１及び上記一対のコンセントプラグ１、１を用いて、直管形ＬＥＤ蛍光灯６６をダクトレール６１に取り付ける操作について説明する。まず、一対のコンセントプラグ１、１を上記同様の操作によってダクトレール６１に取り付ける。それから、支持部材５１をダクトレール６１において一対の取付装置１、１の中間付近に取り付ける。取り付ける操作は上記のコンセントプラグ１の場合と同様である。それから、直管形ＬＥＤ蛍光灯６６を取付装置に取り付ける。その操作は、上記一対のコンセントプラグ１、１に対して、直管形ＬＥＤ蛍光灯６６を取り付ける操作と同様であるが、直管形ＬＥＤ蛍光灯６６を一対のコンセントプラグ１、１に取り付ける際に、当該直管形ＬＥＤ蛍光灯６６の中間部を支持部材５１のフック部５２の開口を押し広げて当該直管形ＬＥＤ蛍光灯６６の中間部を挿入する。このような操作によって、図１１に示すように直管形ＬＥＤ蛍光灯６６を、ダクトレール６１に取り付けることができる。
【００６３】
このように、本考案の第５実施形態の取付装置によれば、支持部材５１を上記一対のコンセントプラグ１、１とともに用いることによって、長さの長い直管形ＬＥＤ蛍光灯６６であっても、その中間部を保持することができ、その蛍光管のたわみを防止することができる。また、そのような蛍光管のたわみ等に起因する直管形ＬＥＤ蛍光灯６６の落下等の危険性を抑制することができ、安全性を向上させることができる。
【００６４】
なお、本考案の取付装置は、上記実施形態に限定されるものではなく、例えば、コンセントプラグを構成する取付部において、接点用係合片が一つの場合であっても、当該接点用係合片に対してフック軸の反対側の位置に係止用係合片をさらに有していてもよい。当該係止用係合片は、例えば、上記接点用係合片と同様の形状を有し、材質は非電導性の合成樹脂等で形成される。そして、当該係止用係合片は、ダクトレールの一方の接点用凹条溝に嵌合することができる。当該コンセントプラグがこのような係止用係合片を有することで、一対の接点用凹条溝及び一対の係止用凹条溝の４箇所で嵌合し、ダクトレールと係合することにより、当該取付装置に係るコンセントプラグをダクトレールに対してさらに強固に固定することができる。
【００６５】
また、上記固定部材は、上記形態のものに限定されず、例えば、当該取付装置に係るコンセントプラグのプラグ本体の正面側又は裏面側に配設された側面Ｌ字状の板状体でもよい。また固定部材をダクトレールに当接させる方法も、上記実施形態のような圧接に限らず、例えば当該固定部材をダクトレールの下側外面にビス等で固定する形式であってもよい。このような固定部材の固定形式を採用することによって、当該コンセントプラグがダクトレールにさらに強固に固定される。その結果、当該取付装置によれば、取り付けた直管形ＬＥＤ蛍光灯の落下等の危険性がさらに抑制され、さらに安全性を向上させることができる。
【００６６】
さらに、上記取付部は、接点用係合片及び係止用係合片の配置や形状を、取り付けるダクトレールに係合できるよう適宜選択することができる。また上記ソケットの構造は、取り付けるＬＥＤ蛍光灯を取り付けることができる限り、種々の形状、サイズ又は取付形式のものを採用することができる。
【産業上の利用可能性】
【００６７】
以上のように、本考案は、ダクトレールに直管形ＬＥＤ蛍光灯をコンパクトに取り付けることができる取付装置を提供することができる。特に、コンパクトに、また任意の長さの直管形ＬＥＤ蛍光灯を取り付けることができるので、ダクトレールに種々の色や長さを有する複数の直管形ＬＥＤ蛍光灯を取り付けるのに適している。
【符号の説明】
【００６８】
１  コンセントプラグ
２  プラグ本体
３  取付部
４  フック軸
５、５’接点用係合片
６、６’係止用係合片
７、７’ソケット
８、８’スリット
９、９’導入溝
１１  コンセントプラグ
１２  プラグ本体
１３  取付部
１４  フック軸    
１５  接点用係合片
１６、１６’係止用係合片
１７、１７’操作部材
１８、１８’連結部材
１９  バネ部材
２０  固定部材
２１  バネ部材  
２２  ソケット
２３、２３’挿入穴
３１  コンセントプラグ
３２  プラグ本体
４１  結合プラグ
４２  プラグ本体
４３  取付部
４４  フック軸
５１  支持部材
５２  フック部
５３  取付部
５４  フック軸
５５、５５’係止用係合片
６１  ダクトレール
６２  開口
６３、６３’接点用凹条溝
６４、６４’接点
６５、６５’係止用凹条溝
６６  直管形ＬＥＤ蛍光灯
６７、６７’電極
【図１】
0003157497.tif 000003
【図２】
0003157497.tif 000004
【図３】
0003157497.tif 000005
【図４】
0003157497.tif 000006
【図５】
0003157497.tif 000007
【図６】
0003157497.tif 000008
【図７】
0003157497.tif 000009
【図８】
0003157497.tif 000010
【図９】
0003157497.tif 000011
【図１０】
0003157497.tif 000012
【図１１】
0003157497.tif 000013
【図１２】
0003157497.tif 000014